【手続補正書】
【提出日】平成19年2月16日(2007.2.16)
【手続補正１】
【補正対象書類名】明細書
【補正対象項目名】特許請求の範囲
【補正方法】変更
【補正の内容】
【特許請求の範囲】【請求項１】  （ａ）配列番号３０−３３に提供された配列からなるポリペプチドと、（ｂ）配列番号３０−３３に提供される配列に対する同一性が少なくとも７５％ある配列からなる、ＦＧＦ−２と結合可能なポリペプチドと、（ｃ）配列番号３０−３３に提供される配列に対する同一性が少なくとも９０％ある配列からなる、ＦＧＦ−２と結合可能なポリペプチドと、（ｄ）合計が全配列長の１０％未満のアミノ酸置換、挿入および／または欠失の結果として配列番号３０−３３に提供されるポリペプチド配列と異なる配列を含む、ＦＧＦ−２と結合可能なポリペプチドとからなるグループから選択される、単離されたポリペプチドと、生理的に許容される担体及び免疫応答刺激剤からなるグループから選択される少なくとも１つの成分とを含む組成物の、患者の炎症性疾患治療用医薬の製造のための使用。【請求項２】  （ａ）配列番号３０−３３に提供された配列からなるポリペプチドと、（ｂ）配列番号３０−３３に提供される配列に対する同一性が少なくとも７５％ある配列からなる、ＦＧＦ−２と結合可能なポリペプチドと、（ｃ）配列番号３０−３３に提供される配列に対する同一性が少なくとも９０％ある配列からなる、ＦＧＦ−２と結合可能なポリペプチドと、（ｄ）合計が全配列長の１０％未満のアミノ酸置換、挿入および／または欠失の結果として配列番号３０−３３に提供されるポリペプチド配列と異なる配列を含む、ＦＧＦ−２と結合可能なポリペプチドとからなるグループから選択される、単離されたポリペプチドと、生理的に許容される担体及び免疫応答刺激剤からなるグループから選択される少なくとも１つの成分とを含む組成物の、患者の血管の成長調整用医薬の製造のための使用。【請求項３】  （ａ）配列番号３０−３３に提供された配列からなるポリペプチドと、（ｂ）配列番号３０−３３に提供される配列に対する同一性が少なくとも７５％ある配列からなる、ＦＧＦ−２と結合可能なポリペプチドと、（ｃ）配列番号３０−３３に提供される配列に対する同一性が少なくとも９０％ある配列からなる、ＦＧＦ−２と結合可能なポリペプチドと、（ｄ）合計が全配列長の１０％未満のアミノ酸置換、挿入および／または欠失の結果として配列番号３０−３３に提供されるポリペプチド配列と異なる配列を含む、ＦＧＦ−２と結合可能なポリペプチドとからなるグループから選択される、単離されたポリペプチドと、生理的に許容される担体及び免疫応答刺激剤からなるグループから選択される少なくとも１つの成分とを含む組成物の、患者の免疫系疾患治療用医薬の製造のための使用。【請求項４】  （ａ）配列番号３０−３３に提供された配列からなるポリペプチドと、（ｂ）配列番号３０−３３に提供される配列に対する同一性が少なくとも７５％ある配列からなる、ＦＧＦ−２と結合可能なポリペプチドと、（ｃ）配列番号３０−３３に提供される配列に対する同一性が少なくとも９０％ある配列からなる、ＦＧＦ−２と結合可能なポリペプチドと、（ｄ）合計が全配列長の１０％未満のアミノ酸置換、挿入および／または欠失の結果として配列番号３０−３３に提供されるポリペプチド配列と異なる配列を含む、ＦＧＦ−２と結合可能なポリペプチドとからな���グループから選択される、単離されたポリペプチドと、生理的に許容される担体及び免疫応答刺激剤からなるグループから選択される少なくとも１つの成分とを含む組成物の、患者の繊維芽細胞増殖因子を介する疾患治療用医薬の製造のための使用。【請求項５】  （ａ）配列番号３０−３３に提供された配列からなるポリペプチドをエンコードするポリヌクレオチドと、（ｂ）配列番号２１−２４に提供される配列からなるポリヌクレオチドと、（ｃ）配列番号２１−２４に提供される配列の相補体からなるポリヌクレオチドと、（ｄ）配列番号２１−２４に提供される配列の逆相補体からなるポリヌクレオチドと、（ｅ）配列番号２１−２４に提供される配列の逆配列からなるポリヌクレオチドと、（ｆ）配列番号２１−２４に提供される配列に対する同一性が少なくとも７５％ある配列からなるポリヌクレオチドと、（ｇ）配列番号２１−２４に提供される配列に対する同一性が少なくとも９０％ある配列からなるポリヌクレオチドと、（ｈ）合計が全配列長の１０％未満のアミノ酸置換、挿入および／または欠失の結果として配列番号３０−３３に提供されるポリペプチド配列と異なる配列を含む、ＦＧＦ−２と結合可能なポリペプチドをエンコードする配列か、その相補体、逆相補体又は逆配列かの配列からなるポリヌクレオチドと、（ｉ）ストリンジェントな雑種形成条件下で、配列番号２１−２４に提供される配列か、その相補体、逆相補体又は逆配列かの配列からなるポリヌクレオチドと選択的に雑種形成するポリヌクレオチドとからなるグループから選択される、単離されたポリヌクレオチドと、生理的に許容される担体及び免疫応答刺激剤からなるグループから選択される少なくとも１つの成分とを含む組成物の、患者の炎症性疾患治療用医薬の製造のための使用。【請求項６】  （ａ）配列番号３０−３３に提供された配列からなるポリペプチドをエンコードするポリヌクレオチドと、（ｂ）配列番号２１−２４に提供される配列からなるポリヌクレオチドと、（ｃ）配列番号２１−２４に提供される配列の相補体からなるポリヌクレオチドと、（ｄ）配列番号２１−２４に提供される配列の逆相補体からなるポリヌクレオチドと、（ｅ）配列番号２１−２４に提供される配列の逆配列からなるポリヌクレオチドと、（ｆ）配列番号２１−２４に提供される配列に対する同一性が少なくとも７５％ある配列からなるポリヌクレオチドと、（ｇ）配列番号２１−２４に提供される配列に対する同一性が少なくとも９０％ある配列からなるポリヌクレオチドと、（ｈ）合計が全配列長の１０％未満のアミノ酸置換、挿入および／または欠失の結果として配列番号３０−３３に提供されるポリペプチド配列と異なる配列を含む、ＦＧＦ−２と結合可能なポリペプチドをエンコードする配列か、その相補体、逆相補体又は逆配列かの配列からなるポリヌクレオチドと、（ｉ）ストリンジェントな雑種形成条件下で、配列番号２１−２４に提供される配列か、その相補体、逆相補体又は逆配列かの配列からなるポリヌクレオチドと選択的に雑種形成するポリヌクレオチドとからなるグループから選択される、単離されたポリヌクレオチドと、生理的に許容される担体及び免疫応答刺激剤からなるグループから選択される少なくとも１つの成分とを含む組成物の、患者の血管の成長調整用医薬の製造のための使用。【請求項７】  （ａ）配列番号３０−３３に提供された配列からなるポリペプチドをエンコードするポリヌクレオチドと、（ｂ）配列番号２１−２４に提供される配列からなるポリヌクレオチドと、（ｃ）配列番号２１−２４に提供される配列の相補体からなるポリヌクレオチドと、（ｄ）配列番号２１−２４に提供される配列の逆相補体からなるポリヌクレオチドと、（ｅ）配列番号２１−２４に提供される配列の逆配列からなるポリヌクレオチドと、（ｆ）配列番号２１−２４に提供される配列に対する同一性が少なくとも７５％ある配列からなるポリヌクレオチドと、（ｇ）配列番号２１−２４に提供される配列に対する同一性が少なくとも９０％ある配列からなるポリヌクレオチドと、（ｈ）合計が全配列長の１０％未満のアミノ酸置換、挿入および／または欠失の結果として配列番号３０−３３に提供されるポリペプチド配列と異なる配列を含む、ＦＧＦ−２と結合可能なポリペプチドをエンコードする配列か、その相補体、逆相補体又は逆配列かの配列からなるポリヌクレオチドと、（ｉ）ストリンジェントな雑種形成条件下で、配列番号２１−２４に提供される配列か、その相補体、逆相補体又は逆配列かの配列からなるポリヌクレオチドと選択的に雑種形成するポリヌクレオチドとからなるグループから選択される、単離されたポリヌクレオチドと、生理的に許容される担体及び免疫応答刺激剤からなるグループから選択される少なくとも１つの成分とを含む組成物の、患者の免疫系疾患治療用医薬の製造のための使用。【請求項８】  （ａ）配列番号３０−３３に提供された配列からなるポリペプチドをエンコードするポリヌクレオチドと、（ｂ）配列番号２１−２４に提供される配列からなるポリヌクレオチドと、（ｃ）配列番号２１−２４に提供される配列の相補体からなるポリヌクレオチドと、（ｄ）配列番号２１−２４に提供される配列の逆相補体からなるポリヌクレオチドと、（ｅ）配列番号２１−２４に提供される配列の逆配列からなるポリヌクレオチドと、（ｆ）配列番号２１−２４に提供される配列に対する同一性が少なくとも７５％ある配列からなるポリヌクレオチドと、（ｇ）配列番号２１−２４に提供される配列に対する同一性が少なくとも９０％ある配列からなるポリヌクレオチドと、（ｈ）合計が全配列長の１０％未満のアミノ酸置換、挿入および／または欠失の結果として配列番号３０−３３に提供されるポリペプチド配列と異なる配列を含む、ＦＧＦ−２と結合可能なポリペプチドをエンコードする配列か、その相補体、逆相補体又は逆配列かの配列からなるポリヌクレオチドと、（ｉ）ストリンジェントな雑種形成条件下で、配列番号２１−２４に提供される配列か、その相補体、逆相補体又は逆配列かの配列からなるポリヌクレオチドと選択的に雑種形成するポリヌクレオチドとからなるグループから選択される、単離されたポリヌクレオチドと、生理的に許容される担体及び免疫応答刺激剤からなるグループから選択される少なくとも１つの成分とを含む組成物の、患者の繊維芽細胞増殖因子を介する疾患治療用医薬の製造のための使用。【請求項９】  （ａ）配列番号３０−３３に提供された配列からなるポリペプチドと、（ｂ）配列番号３０−３３に提供される配列に対する同一性が少なくとも７５％ある配列からなる、ＦＧＦ−２と結合可能なポリペプチドと、（ｃ）配列番号３０−３３に提供される配列に対する同一性が少なくとも９０％ある配列からなる、ＦＧＦ−２と結合可能なポリペプチドと、（ｄ）合計が全配列長の１０％未満のアミノ酸置換、挿入および／または欠失の結果として配列番号３０−３３に提供されるポリペプチド配列と異なる配列を含む、ＦＧＦ−２と結合可能なポリペプチドとからなるグループから選択される、単離されたポリペプチドと、生理的に許容される担体及び免疫応答刺激剤からなるグループから選択される少なくとも１つの成分とを含む、患者の炎症性疾患治療用組成物。【請求項１０】  （ａ）配列番号３０−３３に提供された配列からなるポリペプチドと、（ｂ）配列番号３０−３３に提供される配列に対する同一性が少なくとも７５％ある配列からなる、ＦＧＦ−２と結合可能なポリペプチドと、（ｃ）配列番号３０−３３に提供される配列に対する同一性が少なくとも９０％ある配列からなる、ＦＧＦ−２と結合可能なポリペプチドと、（ｄ）合計が全配列長の１０％未満のアミノ酸置換、挿入および／または欠失の結果として配列番号３０−３３に提供されるポリペプチド配列と異なる配列を含む、ＦＧＦ−２と結合可能なポリペプチドとからなるグループから選択される、単離されたポリペプチドと、生理的に許容される担体及び免疫応答刺激剤からなるグループから選択される少なくとも１つの成分とを含む、患者の血管の成長調整用組成物。【請求項１１】  （ａ）配列番号３０−３３に提供された配列からなるポリペプチドと、（ｂ）配列番号３０−３３に提供される配列に対する同一性が少なくとも７５％ある配列からなる、ＦＧＦ−２と結合可能なポリペプチドと、（ｃ）配列番号３０−３３に提供される配列に対する同一性が少なくとも９０％ある配列からなる、ＦＧＦ−２と結合可能なポリペプチドと、（ｄ）合計が全配列長の１０％未満のアミノ酸置換、挿入および／または欠失の結果として配列番号３０−３３に提供されるポリペプチド配列と異なる配列を含む、ＦＧＦ−２と結合可能なポリペプチドとからなるグループから選択される、単離されたポリペプチドと、生理的に許容される担体及び免疫応答刺激剤からなるグループから選択される少なくとも１つの成分とを含む、患者の免疫系疾患治療用組成物。【請求項１２】  （ａ）配列番号３０−３３に提供された配列からなるポリペプチドと、（ｂ）配列番号３０−３３に提供される配列に対する同一性が少なくとも７５％ある配列からなる、ＦＧＦ−２と結合可能なポリペプチドと、（ｃ）配列番号３０−３３に提供される配列に対する同一性が少なくとも９０％ある配列からなる、ＦＧＦ−２と結合可能なポリペプチドと、（ｄ）合計が全配列長の１０％未満のアミノ酸置換、挿入および／または欠失の結果として配列番号３０−３３に提供されるポリペプチド配列と異なる配列を含む、ＦＧＦ−２と結合可能なポリペプチドとからなるグループから選択される、単離されたポリペプチドと、生理的に許容される担体及び免疫応答刺激剤からなるグループから選択される少なくとも１つの成分とを含む、患者の繊維芽細胞増殖因子を介する疾患治療用組成物。【請求項１３】  （ａ）配列番号３０−３３に提供された配列からなるポリペプチドをエンコードするポリヌクレオチドと、（ｂ）配列番号２１−２４に提供される配列からなるポリヌクレオチドと、（ｃ）配列番号２１−２４に提供される配列の相補体からなるポリヌクレオチドと、（ｄ）配列番号２１−２４に提供される配列の逆相補体からなるポリヌクレオチドと、（ｅ）配列番号２１−２４に提供される配列の逆配列からなるポリヌクレオチドと、（ｆ）配列番号２１−２４に提供される配列に対する同一性が少なくとも７５％ある配列からなるポリヌクレオチドと、（ｇ）配列番号２１−２４に提供される配列に対する同一性が少なくとも９０％ある配列からなるポリヌクレオチドと、（ｈ）合計が全配列長の１０％未満のアミノ酸置換、挿入および／または欠失の結果として配列番号３０−３３に提供されるポリペプチド配列と異なる配列を含む、ＦＧＦ−２と結合可能なポリペプチドをエンコードする配列か、その相補体、逆相補体又は逆配列かの配列からなるポリヌクレオチドと、（ｉ）ストリンジェントな雑種形成条件下で、配列番号２１−２４に提供される配列か、その相補体、逆相補体又は逆配列かの配列からなるポリヌクレオチドと選択的に雑種形成するポリヌクレオチドとからなるグループから選択される、単離されたポリヌクレオチドと、生理的に許容される担体及び免疫応答刺激剤からなるグループから選択される少なくとも１つの成分とを含む、患者の炎症性疾患治療用組成物。【請求項１４】  （ａ）配列番号３０−３３に提供された配列からなるポリペプチドをエンコードするポリヌクレオチドと、（ｂ）配列番号２１−２４に提供される配列からなるポリヌクレオチドと、（ｃ）配列番号２１−２４に提供される配列の相補体からなるポリヌクレオチドと、（ｄ）配列番号２１−２４に提供される配列の逆相補体からなるポリヌクレオチドと、（ｅ）配列番号２１−２４に提供される配列の逆配列からなるポリヌクレオチドと、（ｆ）配列番号２１−２４に提供される配列に対する同一性が少なくとも７５％ある配列からなるポリヌクレオチドと、（ｇ）配列番号２１−２４に提供される配列に対する同一性が少なくとも９０％ある配列からなるポリヌクレオチドと、（ｈ）合計が全配列長の１０％未満のアミノ酸置換、挿入および／または欠失の結果として配列番号３０−３３に提供されるポリペプチド配列と異なる配列を含む、ＦＧＦ−２と結合可能なポリペプチドをエンコードする配列か、その相補体、逆相補体又は逆配列かの配列からなるポリヌクレオチドと、（ｉ）ストリンジェントな雑種形成条件下で、配列番号２１−２４に提供される配列か、その相補体、逆相補体又は逆配列かの配列からなるポリヌクレオチドと選択的に雑種形成するポリヌクレオチドとからなるグループから選択される、単離されたポリヌクレオチドと、生理的に許容される担体及び免疫応答刺激剤からなるグループから選択される少なくとも１つの成分とを含む、患者の血管の成長調整用組成物。【請求項１５】  （ａ）配列番号３０−３３に提供された配列からなるポリペプチドをエンコードするポリヌクレオチドと、（ｂ）配列番号２１−２４に提供される配列からなるポリヌクレオチドと、（ｃ）配列番号２１−２４に提供される配列の相補体からなるポリヌクレオチドと、（ｄ）配列番号２１−２４に提供される配列の逆相補体からなるポリヌクレオチドと、（ｅ）配列番号２１−２４に提供される配列の逆配列からなるポリヌクレオチドと、（ｆ）配列番号２１−２４に提供される配列に対する同一性が少なくとも７５％ある配列からなるポリヌクレオチドと、（ｇ）配列番号２１−２４に提供される配列に対する同一性が少なくとも９０％ある配列からなるポリヌクレオチドと、（ｈ）合計が全配列長の１０％未満のアミノ酸置換、挿入および／または欠失の結果として配列番号３０−３３に提供されるポリペプチド配列と異なる配列を含む、ＦＧＦ−２と結合可能なポリペプチドをエンコードする配列か、その相補体、逆相補体又は逆配列かの配列からなるポリヌクレオチドと、（ｉ）ストリンジェントな雑種形成条件下で、配列番号２１−２４に提供される配列か、その相補体、逆相補体又は逆配列かの配列からなるポリヌクレオチドと選択的に雑種形成するポリヌクレオチドとからなるグループから選択される、単離されたポリヌクレオチドと、生理的に許容される担体及び免疫応答刺激剤からなるグループから選択される少なくとも１つの成分とを含む、患者の免疫系疾患治療用組成物。【請求項１６】  （ａ）配列番号３０−３３に提供された配列からなるポリペプチドをエンコードするポリヌクレオチドと、（ｂ）配列番号２１−２４に提供される配列からなるポリヌクレオチドと、（ｃ）配列番号２１−２４に提供される配列の相補体からなるポリヌクレオチドと、（ｄ）配列番号２１−２４に提供される配列の逆相補体からなるポリヌクレオチドと、（ｅ）配列番号２１−２４に提供される配列の逆配列からなるポリヌクレオチドと、（ｆ）配列番号２１−２４に提供される配列に対する同一性が少なくとも７５％ある配列からなるポリヌクレオチドと、（ｇ）配列番号２１−２４に提供される配列に対する同一性が少なくとも９０％ある配列からなるポリヌクレオチドと、（ｈ）合計が全配列長の１０％未満のアミノ酸置換、挿入および／または欠失の結果として配列番号３０−３３に提供されるポリペプチド配列と異なる配列を含む、ＦＧＦ−２と結合可能なポリペプチドをエンコードする配列か、その相補体、逆相補体又は逆配列かの配列からなるポリヌクレオチドと、（ｉ）ストリンジェントな雑種形成条件下で、配列番号２１−２４に提供される配列か、その相補体、逆相補体又は逆配列かの配列からなるポリヌクレオチドと選択的に雑種形成するポリヌクレオチドとからなるグループから選択される、単離されたポリヌクレオチドと、生理的に許容される担体及び免疫応答刺激剤からなるグループから選択される少なくとも１つの成分とを含む、患者の繊維芽細胞増殖因子を介する疾患治療用組成物。